【手続補正書】
【提出日】平成27年6月24日(2015.6.24)
【手続補正１】
【補正対象書類名】明細書
【補正対象項目名】０００６
【補正方法】変更
【補正の内容】
【０００６】
上記光ノードとして、たとえば図１６、図１７、図１８にそれぞれ示す光クロスコネクト装置が提案されている。図１６の光クロスコネクト装置ＯＸＣは、波長選択スイッチベースで構成されており、たとえば隣接する光ノードの個数ｄを４とすると４ｍ本の光入力ファイバＦi１〜Ｆi４ｍ毎に設けられて、それら光入力ファイバＦi１〜Ｆi４ｍの各々からの波長分割多重光を構成する波長から複数本（４ｎ本）の光出力ファイバＦo１〜Ｆo４ｎのうちの任意の光出力ファイバへ向かう波長を選択する４ｍ個の１×４ｎ波長選択スイッチＷＳＳと、複数本（４ｎ本）の光出力ファイバＦo１〜Ｆo４ｎ毎に設けられ、４ｍ個の１×４ｎ波長選択スイッチＷＳＳからそれぞれ出力される波長群を合波して複数本（４ｎ本）の光出力ファイバＦo１〜Ｆo４ｎのうちその波長群が指向する所望の光出力ファイバへ出力する４ｎ個の４ｍ×１波長選択スイッチＷＳＳとを、備えている。図１６に示す光クロスコネクト装置ＯＸＣでは、１×４ｎ波長選択スイッチＷＳＳは、上記４ｍ×１波長選択スイッチＷＳＳと同様に構成されて逆方向に用いられたものであり、入出力が反転しても同じ機能を出すことができる対称構造に構成されている。また、図１７に示す光クロスコネクト装置ＯＸＣは、図１６に示す光クロスコネクト装置ＯＸＣと比較して、４ｍ個の１×４ｎ波長選択スイッチＷＳＳが４ｍ個の光カプラＰＣから構成されている点で相違し、他は同様に構成されている。また、図１８に示す光クロスコネクト装置ＯＸＣは、図１６に示す光クロスコネクト装置ＯＸＣと比較して、４ｎ個の４ｍ×１波長選択スイッチＷＳＳが４ｎ個の４ｍ×１光カプラＰＣから構成されている点で相違し、他は同様に構成されている。なお、本説明では隣接するノード間からの入力ファイバ、或は隣接するノードへの出力ファイバは各々、ｍ乃至ｎと一様な例を示したが、隣接するノード毎にｍ或はｎの値は異なっても構わない。
【手続補正２】
【補正対象書類名】明細書
【補正対象項目名】０００７
【補正方法】変更
【補正の内容】
【０００７】
上記の光クロスコネクト装置で波長群単位で方路切換し或いは波長単位で方路切換が行われるとした場合、たとえば、仮に、光入力ファイバＦin１〜Ｆin４ｍの本数ｍが２８、出力ファイバＦo１〜Ｆoｎの本数ｎが２８であるとすると、４ｍ個の１×４ｎ波長選択スイッチＷＳＳおよび４ｎ個の４ｍ×１波長選択スイッチＷＳＳが必要とされる図１６に示される２８×２８光クロスコネクト装置ＯＸＣでは、５６個の１×２８波長選択スイッチＷＳＳが必要となり、４ｍ個の１×４ｎ光カプラＰＣおよび４ｎ個の４ｍ×１波長選択スイッチＷＳＳが必要とされる図１７に示される２８×２８光クロスコネクト装置ＯＸＣでは、２８個の２８×１波長選択スイッチＷＳＳが必要となり、４ｍ個の１×４ｎ波長選択スイッチＷＳＳおよび４ｎ個の４ｍ×１光カプラＰＣが必要とされる図１８に示される２８×２８光クロスコネクト装置ＯＸＣでは、２８個の１×２８波長選択スイッチＷＳＳが必要となる。
【手続補正３】
【補正対象書類名】明細書
【補正対象項目名】００１９
【補正方法】変更
【補正の内容】
【００１９】
また、好適には、前記波長分割多重光は、信号のビットレートが相互に異なる波長チャンネルを含んで構成される。このようにすれば、光クロスコネクト装置の汎用性が高められる。
【手続補正４】
【補正対象書類名】明細書
【補正対象項目名】００２１
【補正方法】変更
【補正の内容】
【００２１】
【図１】本発明の一実施例の光クロスコネクト装置が用いられる光ノード間を光ファイバ接続した光ネットワークの一例を説明するための概念図である。
【図２】図１の光ネットワークにおいて光ノードを構成する光クロスコネクト装置の機能を説明する図である。
【図３】図１および図２の光クロスコネクト装置の要部構成を説明する概略図である。
【図４】図３の光クロスコネクト装置に用いられている波長群選択スイッチの構成を説明する図である。
【図５】図３の光クロスコネクト装置に用いられている波長群選択スイッチの他の構成を説明する図である。
【図６】図１および図２の光クロスコネクト装置が、７本の入力光ファイバ及び７本の出力ファイバを収容することができる光クロスコネクト部４個により構成され、光ネットワークに適用された場合の光クロスコネクト装置の規模を説明する図である。
【図７】相互接続されていない１個の大規模な光クロスコネクトから構成された従来の光クロスコネクト装置が図６と同様の光ネットワークに適用された場合の、光クロスコネクト装置の規模を説明する図である。
【図８】図７の光クロスコネクト装置内の複数個の１×２８波長選択スイッチＷＳＳを、４個の１×９波長選択スイッチＷＳＳを用いて構成する例を説明する図である。
【図９】本発明者等が行なったシミュレーションで用いられた光ネットワークの論理構成を説明する図である。
【図１０】正規化トラフィック量を示す横軸とブロッキング比(確率)を示す縦軸との二次元座標において、図９の論理構成トポロジーに対するシミュレーション結果を示す図である。
【図１１】従来の光クロスコネクト装置および本実施例のクロスコネクト装置を示す横軸とネットワーク構築で必要となる１×９波長選択スイッチＷＳＳの数を示す縦軸との二次元座標において、図９の論理構成トポロジーに対するシミュレーションにより得られた必要ＷＳＳ数の結果を示す図である。
【図１２】光クロスコネクト装置に設けられる複数の光クロスコネクト部の他の構成例を説明する図であって、図３に対応する図である。
【図１３】光クロスコネクト装置に設けられる複数の光クロスコネクト部の他の構成例を説明する図であって、図３に対応する図である。
【図１４】光クロスコネクト装置が３個の複数の光クロスコネクト部から構成された例を説明する図である。
【図１５】光クロスコネクト装置が２個の複数の光クロスコネクト部から構成された例を説明する図である。
【図１６】単一の光クロスコネクトから成る従来の光クロスコネクト装置の構成を説明する図である。
【図１７】単一の光クロスコネクトから成る従来の光クロスコネクト装置の構成を説明する図である。
【図１８】単一の光クロスコネクトから成る従来の光クロスコネクト装置の構成を説明する図である。
【手続補正５】
【補正対象書類名】明細書
【補正対象項目名】００２４
【補正方法】変更
【補正の内容】
【００２４】
図２に示すように、光ノードＮＤ０内に配置された光クロスコネクト装置ＯＸＣは、その光ノードＮＤ０に隣接する他の光ノードＮＤ１〜ＮＤ４から接続される入力ファイバ数或は他の光ノードへ接続する光ファイバ数を収容するのに必要な個数の複数の光クロスコネクト部（サブシステム部）ＯＸＣ１〜ＯＸＣ４を備えている。図２には、光クロスコネクト装置ＯＸＣの入出力接続と、光クロスコネクト装置ＯＸＣ内の光クロスコネクト部ＯＸＣ１〜ＯＸＣ４間の内部接続とが示されている。
【手続補正６】
【補正対象書類名】明細書
【補正対象項目名】００２５
【補正方法】変更
【補正の内容】
【００２５】
光クロスコネクト装置ＯＸＣの入力側には、光ノードＮＤ０に隣接する各光ノードＮＤ１〜光ノードＮＤｄからの合計Ｍ本の光入力ファイバＦi１〜Ｆim、Ｆim+１〜Ｆi２m、Ｆi２m+１〜Ｆi３m、Ｆi３m+１〜Ｆi４mが接続されている。また、光クロスコネクト装置ＯＸＣの出力側には、光ノードＮＤ０に隣接する各光ノードＮＤ１〜光ノードＮＤｄへの合計Ｎ本の光出力ファイバＦo１〜Ｆon、Ｆon+１〜Ｆo２n、Ｆo２n+１〜Ｆo３n、Ｆo３n+１〜Ｆo４nが、接続されている。光入力ファイバＦi１〜Ｆim、Ｆim+１〜Ｆi２m、Ｆi２m+１１〜Ｆi３m、Ｆi３m+１〜Ｆi４mからは、各々波長分割多重光が伝送されて、光クロスコネクト装置ＯＸＣに入力される。上記光入力ファイバＦi１〜Ｆi４mは合計でM本であり、光出力ファイバＦo１〜Ｆo４n は合計でN本であり、それら光入力ファイバＦi１〜Ｆi４mおよび光出力ファイバＦo１〜Ｆo４nは、ノード間接続用光ファイバとして機能している。なお、一般にはN=Mの場合が多い。
【手続補正７】
【補正対象書類名】明細書
【補正対象項目名】００２８
【補正方法】変更
【補正の内容】
【００２８】
図２に戻って、光クロスコネクト装置ＯＸＣを構成する内の光クロスコネクト部ＯＸＣ１〜ＯＸＣｘに関して、図１ではｘ＝４であり、光クロスコネクト装置ＯＸＣが光ノードＮＤ０に隣接する光ノードＮＤ１〜ＮＤ４の個数と同じ個数である４個の光クロスコネクト部ＯＸＣ１〜ＯＸＣ４から構成されている。なお、光クロスコネクト部の個数は、隣接する光ノードの個数と一致している必要は無く、隣接するノードの個数とは独立に設定することができる。それら光クロスコネクト部ＯＸＣ１〜ＯＸＣ４は、外部接続用として、光入力ファイバＦi１〜Ｆim、Ｆim+１〜Ｆi２m、Ｆi２m+１〜Ｆi３m、Ｆi３m+１〜Ｆi４mにそれぞれ接続されたノード間接続用入力ポートＰi１〜Ｐim、Ｐim+１〜Ｐi２m、Ｐi２m+１〜Ｐi３m、Ｐi３m+１〜Ｐi４mと、光出力ファイバＦo１〜Ｆon、Ｆon+１〜Ｆo２n、Ｆo２n+１〜Ｆo３n、Ｆo３n+１〜Ｆo４nにそれぞれ接続されたノード間接続用出力ポートＰo１〜Ｐon、Ｐon+１〜Ｐo２n、Ｐo２n+１〜Ｐo３n、Ｐo３n+１〜Ｐo４nとをそれぞれ有している。また、光クロスコネクト部ＯＸＣ１〜ＯＸＣ４は、内部接続用として、内部接続用入力ポートＰni１〜Ｐni２、Ｐni３〜Ｐni４、Ｐni５〜Ｐni６、Ｐni７〜Ｐni８と、内部接続用出力ポートＰno１〜Ｐno２、Ｐno３〜Ｐno４、Ｐno５〜Ｐno６、Ｐno７〜Ｐno８とをそれぞれ有している。なお、光クロスコネクト部ＯＸＣ１のノード間接続用入力ポートＰi１〜Ｐimには、光ノードＮＤ１からの光入力ファイバＦi１〜Ｆimが接続されていてもよいが、光ノードＮＤ１〜ＮＤ４からの合計Ｍ本のうちのいずれかｍ本が接続されていればよい。同様に、光クロスコネクト部ＯＸＣ１のノード間接続用出力ポートＰo１〜Ｐonには、光ノードＮＤ１への光出力ファイバＦo１〜Ｆonが接続されていてもよいが、光ノードＮＤ１〜ＮＤ４への合計Ｎ本のうちのいずれかｎ本が接続されていればよい。
【手続補正８】
【補正対象書類名】明細書
【補正対象項目名】００３５
【補正方法】変更
【補正の内容】
【００３５】
図５に示される波長選択スイッチＷＳＳは、たとえばプレーナー光導波回路（ＰＬＣ）技術により共通の半導体或は石英などの基板上に導波路および素子が集積化されることにより平面型に構成され得る。この平面型の波長選択スイッチＷＳＳは、たとえば、光カプラＰＣからの光ファイバに接続されてそれから入力される波長分割多重光を波長毎に分波する１個の１×ｑ（ｑはファイバ当たりの波長数）分波器ＷＳと、その１×ｑ分波器ＷＳでそれぞれ分波された波長毎に方路切り換えを行なうｑ個の１×（ｎ＋２）光スイッチＰＷＣと、それらの１×（n＋２）光スイッチＰＷＣからの出力波長をそれぞれ受けて合波し、n+２本の光出力ファイバＦo１、Ｆo２、・・・Ｆon+２へ出力する１×ｑ×１合波器ＷＣとで構成される。
【手続補正９】
【補正対象書類名】明細書
【補正対象項目名】００３６
【補正方法】変更
【補正の内容】
【００３６】
図６は、光ノードＮＤ０〜ＮＤ４を含む各光ノードが入力或は出力ファイバ総数２８本の光ファイバＦで接続されているネットワークＮＷである場合における、光ノードＮＤ０およびそれに備えられた光クロスコネクト装置ＯＸＣと、その光クロスコネクト装置ＯＸＣを構成している光クロスコネクト部ＯＸＣ１〜ＯＸＣ４の構成を代表的に示す光クロスコネクト部ＯＸＣ２とを、示している。この場合、ｍ＝ｎ＝７となって、光入力ファイバＦim+１〜Ｆi２mおよび光出力ファイバＦon+１〜Ｆo２nは各７本となり、２本の内部接続用光ファイバＦn２およびＦn５が入力側に、２本の内部接続用光ファイバＦn３およびＦn４が出力側に接続されるので、光クロスコネクト部ＯＸＣ２は９×９の規模となる。このため、光クロスコネクト部ＯＸＣ２は、９個の１×９光カプラＰＣと、９個の１×９波長選択スイッチＷＳＳとから構成される。従って、光クロスコネクト装置ＯＸＣは、全体で、３６個の１×９光カプラＰＣと３６個の１×９波長選択スイッチＷＳＳとから構成されることになる。すなわち、本実施例の光クロスコネクト装置ＯＸＣは、図７の従来の光クロスコネクト装置ＯＸＣに比較して、必要とする１×９波長選択スイッチＷＳＳの個数が約１／３となる。
【手続補正１０】
【補正対象書類名】明細書
【補正対象項目名】００４１
【補正方法】変更
【補正の内容】
【００４１】
上述のように、本実施例の光クロスコネクト装置ＯＸＣによれば、複数本の光入力ファイバ（ノード間接続用光ファイバ）Ｆi１〜Ｆi４mおよび光出力ファイバ（ノード間接続用光ファイバ）Ｆo１〜Ｆo４nにそれぞれ接続された、ノード間接続用入力ポートＰi１〜Ｐim、Ｐim+１〜Ｐi２m、Ｐi２m+１〜Ｐi３m、Ｐi３m+１〜Ｐi４mおよびノード間接続用出力ポートＰo１〜Ｐon、Ｐon+１〜Ｐo２n、Ｐo２n+１〜Ｐo３n、Ｐo３n+１〜Ｐo４nと、内部接続用入力ポートＰni１〜Ｐni２、Ｐni３〜Ｐni４、Ｐni５〜Ｐni６、Ｐni７〜Ｐni８および内部接続用出力ポートＰno１〜Ｐno２、Ｐno３〜Ｐno４、Ｐno５〜Ｐno６、Ｐno７〜Ｐno８とをそれぞれ有する複数個の光クロスコネクト部ＯＸＣ１〜ＯＸＣ４を備え、それら複数個の光クロスコネクト部ＯＸＣ１〜ＯＸＣ４のいずれにおいても、所定の光クロスコネクト部の内部接続用出力ポートが他の光クロスコネクト部の内部接続用入力ポートと直接に接続され、又は、所定の光クロスコネクト部の内部接続用出力ポートが他の光クロスコネクト部の内部接続用入力ポートと直接に接続され、且つ、該他の光クロスコネクト部を介して、さらに他の光クロスコネクト部の内部接続用入力ポートと間接的に接続されている。このことから、複数の光クロスコネクト部ＯＸＣ１〜ＯＸＣ４の相互間で迂回させてルーティングできるので、同一入出力ファイバ数での相互接続された複数の光クロスコネクト部を有しない従来の光クロスコネクト装置と比較して、同程度のパス収容能力を有しつつ、光クロスコネクト部或いは波長選択スイッチＷＳＳなどのハードウエアの規模を大幅に削減できる。
【手続補正１１】
【補正対象書類名】明細書
【補正対象項目名】００４６
【補正方法】変更
【補正の内容】
【００４６】
図１２は、図３に対応するものであって、光クロスコネクト部ＯＸＣ１の他の構成例を示している。図１２の光クロスコネクト部ＯＸＣ１は、ノード間接続用入力ポートＰi１〜Ｐimおよび内部接続用入力ポートＰni１〜Ｐni２にそれぞれ接続され、入力された波長分割多重光を受けてその波長分割多重光に含まれる波長を選択する複数個(ｍ＋２個)の１×(ｎ＋２)入力側波長選択スイッチＷＳＳと、ノード間接続用出力ポートＰo１〜Ｐonおよび内部接続用出力ポートＰno１〜Ｐno２にそれぞれ接続され、その入力側波長選択スイッチＷＳＳにより選択された波長を受けてノード間接続用出力ポートＰo１〜Ｐonおよび内部接続用出力ポートＰno１〜Ｐno２へそれぞれ出力する複数個(ｎ＋２個)の１×(ｍ＋２)光カプラＰＣとを有している。このようにすれば、図１３に例示された光クロスコネクト部ＯＸＣ１に比較して、高価な波長選択スイッチの数を半減させることができる。
【手続補正１２】
【補正対象書類名】明細書
【補正対象項目名】００４７
【補正方法】変更
【補正の内容】
【００４７】
図１３は、図３に対応するものであって、光クロスコネクト部ＯＸＣ１の他の構成例を示している。図１３の光クロスコネクト部ＯＸＣ１は、ノード間接続用入力ポートＰi１〜Ｐimおよび内部接続用入力ポートＰni１〜Ｐni２にそれぞれ接続され、入力された波長分割多重光を受けてその波長分割多重光に含まれる波長を選択する複数個（ｍ＋２個）の１×（ｎ＋２）入力側波長選択スイッチＷＳＳと、ノード間接続用出力ポートＰo１〜Ｐonおよび内部接続用出力ポートＰno１〜Ｐno２にそれぞれ接続され、その入力側波長選択スイッチＷＳＳにより選択された波長を受けてノード間接続用出力ポートＰo１〜Ｐonおよび内部接続用出力ポートＰno１〜Ｐno２へそれぞれ択一的に出力する複数個（ｎ＋２個）の１×（ｍ＋２）出力側波長選択スイッチＷＳＳとを有している。このようにすれば、光カプラが用いられていないので、光クロスコネクト部ＯＸＣ１内での光損失が低減される。
【手続補正１３】
【補正対象書類名】明細書
【補正対象項目名】００５１
【補正方法】変更
【補正の内容】
【００５１】
たとえば、前述の実施例１の光クロスコネクト部ＯＸＣ１〜ＯＸＣ４は、図２に示すように双方向に相互接続されていたが、一方向に相互接続されていてもよい。たとえば、内部接続用光ファイバＦn１〜Ｆn８のうち、内部接続用光ファイバ光ファイバＦn１、Ｆn３、Ｆn５、Ｆn７又は内部接続用光ファイバ光ファイバＦn２、Ｆn４、Ｆn６、Ｆn８が省略されてもよい。このようにしても、光クロスコネクト部ＯＸＣ１〜ＯＸＣ４のうちの１つの光クロスコネクト部から出力された波長は他のいずれの光クロスコネクト部にも入力されることができる。